(57)【要約】【課題】ＲＧＢ画素が配列されたディスプレイ用補間技術に基づく画像であっても、偽色の発生を伴うことなく投影表示することを可能にする。【解決手段】フレームバッファに格納された画像をＮ個の矩形エリアに分割し（ステップＳ３）、各矩形エリア中にクリアタイプの画像部分が存在するか否かを判断する（ステップＳ５、Ｓ６）。クリアタイプ部分があるならば、文字色と背景色である２色の境界部分に、当該２色とは異なる色が存在することから、当該境界部分にあるピクセルの色を補正する（ステップＳ１１）。この補正は、２色の境界部分にあるピクセルの色を当該２色の色をある比率で混ぜた色にすることを第１の条件、明るさが元の色（クリアタイプにおける境界部分の色）と変わらないことを第２の条件として、補正する。しかる後に、この補正した画像を投影する（ステップＳ１２）。【選択図】図３
2010220150.tif 000002
【特許請求の範囲】
【請求項１】
画像を順次取り込み、この取り込んだ画像をフレーム単位で異なる発光色により時分割投影するプロジェクタであって、
前記画像を順次取り込む取込手段と、
この取込手段により取り込まれた画像中に、ＲＧＢ画素が配列されたディスプレイ用補間技術に基づく画像部分が含まれているか否かを判断する判断手段と、
この判断手段により、前記画像中にＲＧＢ画素が配列されたディスプレイ用補間技術に基づく画像部分が含まれていると判断された場合、前記画像部分が有する２色に基づき、当該画像部分を補正する補正手段と、
この補正手段により前記部分が補正された画像を前記時分割投影する投影手段と
を備えることを特徴とするプロジェクタ。
【請求項２】
前記２色は、文字色と背景色とであることを特徴とする請求項１記載のプロジェクタ。
【請求項３】
前記判断手段は、
前記取込手段により取り込まれた画像を複数の領域に分割する分割手段と、
この分割手段により分割された各領域において、所定割合以上である２色が存在するか否かを判断する第１の判断手段と、
この第１の判断手段により、所定割合以上である２色が存在すると判断された場合に、それ以外の色が前記２色の境界部分に存在するか否かを判断する第２の判断手段と
を備えることを特徴とする請求項１又は２記載のプロジェクタ。
【請求項４】
前記所定割合は、８０パーセント以上であることを特徴とする請求項３記載のプロジェクタ。
【請求項５】
前記ＲＧＢ画素が配列されたディスプレイ用補間技術に基づく画像部分には、文字色と背景色の２色、及びこの２色の境界部分に介在する他の色とが含まれ、
前記補正手段は、前記２色の色をある比率で混ぜた色であることを第１の条件とし、明るさが前記他の色と変わらないことを第２の条件として、この第１及び第２の条件を満たすように補正することを特徴とする請求項１、２又は３記載のプロジェクタ。
【請求項６】
前記補正手段は、所定の演算式を用いて前記補正を実行することを特徴とする請求項１から５にいずれか記載のプロジェクタ。
【請求項７】
前記ＲＧＢ画素が配列されたディスプレイ用補間技術に基づく画像部分が含まれている画像は、液晶ディスプレイ、有機ＥＬディスプレイのいずれかであることを特徴とする請求項１から５にいずれか記載のプロジェクタ。
【請求項８】
画像を順次取り込み、この取り込んだ画像をフレーム単位で異なる発光色により時分割投影するプロジェクタが有するコンピュータを、
前記画像を順次取り込む取込手段と、
この取込手段により取り込まれた画像中にＲＧＢ画素が配列されたディスプレイ用補間技術に基づく画像部分が含まれているか否かを判断する判断手段と、
この判断手段により、前記画像中にＲＧＢ画素が配列されたディスプレイ用補間技術に基づく画像部分が含まれていると判断された場合、前記画像部分が有する２色に基づき、当該画像部分を補正する補正手段と、
この補正手段により前記部分が補正された画像を前記時分割投影する投影手段と
して機能させることを特徴とする画像投影制御プログラム。
【請求項９】
画像を順次取り込み、この取り込んだ画像をフレーム単位で異なる発光色により時分割投影する投影方法であって、
前記画像を順次取り込む取込ステップと、
この取込ステップにより取り込まれた画像中にＲＧＢ画素が配列されたディスプレイ用補間技術に基づく画像部分が含まれているか否かを判断する判断ステップと、
この判断ステップにより、前記画像中にＲＧＢ画素が配列されたディスプレイ用補間技術に基づく画像部分が含まれていると判断された場合、前記画像部分が有する２色に基づき、当該画像部分を補正する補正ステップと、
この補正ステップにより前記部分が補正された画像を前記時分割投影する投影ステップと
を含むことを特徴とする及び画像投影方法。
【発明の詳細な説明】
【技術分野】
【０００１】
本発明は、プロジェクタ、画像投影制御プログラム及び画像投影方法に関するものである。
【背景技術】
【０００２】
従来、液晶ディスプレイにおけるカラー表示方式においては、１つの画素を３つの表示領域に分割して、それぞれの表示領域に３原色の赤（Ｒ）、緑（Ｇ）、青（Ｂ）のカラーフィルタを配置し、３つの表示領域の輝度バランスによってフルカラー表示を行う。したがって、背景が黒（ＢＫ）で白の文字（白抜きの文字）を表示する場合、図４の液晶（ａ）に示すように、当該文字がその一部に下方向（やや右斜め）に延びる直線Ｌを含んでいると（例えば、アルファベットの文字「Ｗ」）、各ドット（１）（２）（３）・・・毎に、Ｒ、Ｇ、Ｂを配置して均等な輝度バランスとすることにより、その一部に白い直線Ｌを有する文字が表示されることとなる。
【０００３】
しかし、このような液晶表示画像においては、図４の（ａ）に示すように、例えばドット（３）とドット（４）との間に、水平方向１ドット分のずれが生ずることから、これに起因して表示される文字の解像度（水平方向の解像度）が低下する。このため、液晶ディスプレイに表示される文字の水平方向における解像度を高める技術として、「クリアタイプ」と称されるＲＧＢ画素が配列されたディスプレイ用補間技術が出現するに至っている。
【０００４】
この「クリアタイプ」は、文字が有する前記白い直線Ｌを表示するに際して、図４のクリアタイプ（ｂ）に示すように、１／３ドット単位で水平方向にずらし、ドット（１）（２）（３）・・・を「ＲＧＢ」「ＧＢＲ」「ＢＲＧ」・・・と駆動する。これにより、液晶ディスプレイの文字表示において、見かけ上３倍の解像度を得ることができるとするものである（例えば下記特許文献１、図１１参照）。
【先行技術文献】
【特許文献】
【０００５】
【特許文献１】特開２００７−１５５８７８号公報
【発明の概要】
【発明が解決しようとする課題】
【０００６】
ところで、プロジェクタにあってはＲＧＢ画素が配列されたディスプレイとは異なり、取り込んだ画像をフレーム単位で異なる発光色により時分割投影する装置である。例えば、当該プロジェクタがＲＧＢとＹ（イエロー）、Ｃ（シアン）、Ｍ（マゼンタ）とを有するカラーホイールを用いて時分割投影により色順次表示を行う装置であるとする（図２参照）。すると、図４に示すように、クリアタイプ（ｂ）におけるドット（１）は「ＲＧＢ」であることから、従来投影（c）においてもＲＧＢでの色順次表示によりＷ（ホワイト）に表示される。したがって、このドット（１）に関しては、後述する偽色の発生原因となることはない。
【０００７】
しかし、クリアタイプ（ｂ）におけるドット（２）は「ＧＢＲ」である。このとき、Ｇ＋Ｂ＝Ｃであるから、クリアタイプ（ｂ）におけるドット（２）の「ＧＢ」は、従来投影（c）におけるドット（２）では「Ｃ」で投影される。また、クリアタイプ（ｂ）におけるドット（２）の「Ｒ」は、従来投影（c）におけるドット（２）でそのまま「Ｒ」で投影される。
【０００８】
また、クリアタイプ（ｂ）におけるドット（３）は「ＢＲＧ」である。したがって、クリアタイプ（ｂ）におけるドット（３）の「Ｂ」は従来投影（c）におけるドット（２）でそのまま「Ｂ」で投影される。しかし、Ｒ＋Ｇ＝Ｙであるから、クリアタイプ（ｂ）におけるドット（３）の「ＲＧ」は従来投影（c）におけるドット（３）では「Ｙ」で投影される。
【０００９】
したがって、従来投影（c）において、ドット（２）（３）等は「Ｗ」とならず、これにより投影された画像中の文字に偽色が発生するという問題が生ずる。
【００１０】
本発明は、かかる従来の課題に鑑みてなされたものであり、「クリアタイプ」と称されるようなＲＧＢ画素が配列されたディスプレイ用補間技術に基づく画像であっても、偽色の発生を伴うことなく投影表示することのできるプロジェクタ、画像投影制御プログラム及び画像投影方法を提供することを目的とするものである。
【課題を解決するための手段】
【００１１】
前記課題を解決するため請求項１記載の発明に係るプロジェクタにあっては、画像を順次取り込み、この取り込んだ画像をフレーム単位で異なる発光色により時分割投影するプロジェクタであって、前記画像を順次取り込む取込手段と、この取込手段により取り込まれた画像中に、ＲＧＢ画素が配列されたディスプレイ用補間技術に基づく画像部分が含まれているか否かを判断する判断手段と、この判断手段により、前記画像中にＲＧＢ画素が配列されたディスプレイ用補間技術に基づく画像部分が含まれていると判断された場合、前記画像部分が有する２色に基づき、当該画像部分を補正する補正手段と、この補正手段により前記部分が補正された画像を前記時分割投影する投影手段とを備えることを特徴とする。
【００１２】
また、請求項２記載の発明に係るプロジェクタにあっては、前記２色は、文字色と背景色とであることを特徴とする。
【００１３】
また、請求項３記載の発明に係るプロジェクタにあっては、前記判断手段は、前記取込手段により取り込まれた画像を複数の領域に分割する分割手段と、この分割手段により分割された各領域において、所定割合以上である２色が存在するか否かを判断する第１の判断手段と、この第１の判断手段により、所定割合以上である２色が存在すると判断された場合に、それ以外の色が前記２色の境界部分に存在するか否かを判断する第２の判断手段とを備えることを特徴とする。
【００１４】
また、請求項４記載の発明に係るプロジェクタにあっては、前記所定割合は、８０パーセント以上であることを特徴とする。
【００１５】
また、請求項５記載の発明に係るプロジェクタにあっては、前記ＲＧＢ画素が配列されたディスプレイ用補間技術に基づく画像部分には、文字色と背景色の２色、及びこの２色の境界部分に介在する他の色とが含まれ、前記補正手段は、前記２色の色をある比率で混ぜた色であることを第１の条件とし、明るさが前記他の色と変わらないことを第２の条件として、この第１及び第２の条件を満たすように補正することを特徴とする。
【００１６】
また、請求項６記載の発明に係るプロジェクタにあっては、前記補正手段は、所定の演算式を用いて前記補正を実行することを特徴とする。
【００１７】
また、請求項７記載の発明に係るプロジェクタにあっては、前記ＲＧＢ画素が配列されたディスプレイ用補間技術に基づく画像部分が含まれている画像は、液晶ディスプレイ、有機ＥＬディスプレイのいずれかであることを特徴とする。
【００１８】
また、請求項８記載の発明に係る画像投影制御プログラムにあっては、画像を順次取り込み、この取り込んだ画像をフレーム単位で異なる発光色により時分割投影するプロジェクタが有するコンピュータを、前記画像を順次取り込む取込手段と、この取込手段により取り込まれた画像中にＲＧＢ画素が配列されたディスプレイ用補間技術に基づく画像部分が含まれているか否かを判断する判断手段と、この判断手段により、前記画像中にＲＧＢ画素が配列されたディスプレイ用補間技術に基づく画像部分が含まれていると判断された場合、前記画像部分が有する２色に基づき、当該画像部分を補正する補正手段と、この補正手段により前記部分が補正された画像を前記時分割投影する投影手段として機能させることを特徴とする。
【００１９】
また、請求項９記載の発明に係る及び画像投影方法にあっては、画像を順次取り込み、この取り込んだ画像をフレーム単位で異なる発光色により時分割投影する投影方法であって、前記画像を順次取り込む取込ステップと、この取込ステップにより取り込まれた画像中にＲＧＢ画素が配列されたディスプレイ用補間技術に基づく画像部分が含まれているか否かを判断する判断ステップと、この判断ステップにより、前記画像中にＲＧＢ画素が配列されたディスプレイ用補間技術に基づく画像部分が含まれていると判断された場合、前記画像部分が有する２色に基づき、当該画像部分を補正する補正ステップと、この補正ステップにより前記部分が補正された画像を前記時分割投影する投影ステップとを含むことを特徴とする。
【発明の効果】
【００２０】
本発明によれば、取り込んだ画像中にＲＧＢ画素が配列されたディスプレイ用補間技術に基づく画像部分が含まれていると判断された場合には、当該画像部分を補正した発光色により時分割投影するので、「クリアタイプ」と称されるようなＲＧＢ画素が配列されたディスプレイ用補間技術に基づく画像であっても、偽色の発生を伴うことなく投影表示することができる。
【図面の簡単な説明】
【００２１】
【図１】本発明の一実施の形態に係るプロジェクタのブロック構成図である。
【図２】カラーホイールの構成を示す正面図である。
【図３】本実施の形態における処理手順を示すフローチャートである。
【図４】（ａ）は液晶表示画像の表示詳細を示す図、（ｂ）はクリアタイプの表示詳細を示す図、（ｃ）は従来の投影装置における表示詳細を示す図、（ｃ）は本発エイの一実施の形態における表示詳細を示す図である。
【発明を実施するための形態】
【００２２】
以下、本発明の実施形態について説明する。図１に示すように、本実施の形態に係るプロジェクタ１０は、ＰＣ等外部機器が入出力コネクタ部１１を介して接続されており、入出力コネクタ部１１から入力された各種規格の画像信号は、入出力インタフェース（Ｉ／Ｆ）１２、システムバス１３を介してフレームバッファ１４にフレーム単位で格納される。
【００２３】
フレームバッファ１４にフレーム単位で格納された画像信号は、制御部２７により後述するフローチャートに示すように必要に応じて補正されて、画像変換部１５で所定のフォーマットの画像信号に統一された後に、投影画像処理部１６に送られるようになっている。投影画像処理部１６では、送られてきた画像信号からビデオ信号を生成し、適宜のフレームレート例えば６０［フレーム／秒］と色成分の分割数、及び表示階調数を乗算した、より高速な時分割駆動で空間的光変調素子（ＳＯＭ）である例えばマイクロミラー素子１７を表示駆動するようになっている。
【００２４】
システムバス１３には、投影光処理部１８を介して光源ランプ１９としてＬＥＤが接続されている。光源ランプ１９は、後面側がリフレクタ２０により覆われている。光源ランプ１９と前述のマイクロミラー素子１７との間には、カラーホイール２１、インテグレータ２２、ミラー２３が配設されており、光源ランプ１９から出射される光を、カラーホイール２１を介して適宜原色に着色し、インテグレータ２２、ミラー２３を介してマイクロミラー素子１７に照射されることで、その反射光で光像が形成され、投影レンズ２４を介して図示しないスクリーンに投影表示される。
【００２５】
光源ランプ１９の点灯駆動と、カラーホイール２１を回転駆動するモータ２５はいずれも投影光処理部１８からの供給電圧値に基づいて動作される。また、前記カラーホイール２１は、その周端面に近接配置したマーカセンサ２６により所定の回転位置が検出されるものであり、その検出信号は投影画像処理部１６に入力される。
【００２６】
カラーホイール２１は、図２に示すように、円盤状のものであり、６つのフィルタ２１Ｒ，２１Ｙ，２１Ｇ，２１Ｃ，２１Ｂ，２１Ｍが周方向に配置されている。フィルタ２１Ｒ，２１Ｇ，２１Ｂは、それぞれ、投光された光を、Ｒ、Ｇ、Ｂの３原色に分解する原色（成分）フィルタである。フィルタ２１Ｒ，２１Ｇ，２１Ｂは、いずれもカラーホイール２１の中心に対し、６０°の角度を有し、均等に配置されている。
【００２７】
フィルタ２１Ｙは、フィルタ２１Ｇ，２１Ｒとの間に配置され、両フィルタが分解するＧ色とＲ色との補色Ｙ（イエロー）を中間色とする中間色（補色）フィルタである。フィルタ２１Ｃは、フィルタ２１Ｇ，２１Ｂの間に配置され、両フィルタが分解するＢ色とＧ色との補色Ｃ（シアン）を中間色とする中間色フィルタである。フィルタ２１Ｍは、フィルタ２１Ｂ，２１Ｒの間に配置され、両フィルタが分解するＢ色とＲ色との補色（マゼンタ）を中間色とする中間色フィルタである。
【００２８】
カラーホイール２１のフィルタ２１Ｒ，２１Ｍの間には、マーカ２１１が設けられている。このマーカ２１１は、貫通孔からなり各フィルタ２１Ｒ，２１Ｙ，２１Ｇ，２１Ｃ，２１Ｂ，２１Ｍの位置検出に用いられる。
【００２９】
前記マーカセンサ２６は、例えば反射型のフォト・インタラプタで構成されており、このカラーホイール２１のリム部に対向するように近接配置されている。前記マーカセンサ２６は、マーカ２１１部分でのみ、フォト・インタラプタを構成するＬＥＤで出射した光がリム部で反射されず、同受光素子の出力信号のレベルが低下することから、マーカ２１１の位置を検出することができる。
【００３０】
前記制御部２７は、各回路の全ての動作制御を中央処理部であり、ＣＰＵとその周辺回路等で構成されている。記憶部２８は、制御部２７が後述するフローチャートに示す処理を実行するためのプログラム等を記憶している。
【００３１】
この制御部２７には、システムバス１３を介して画像記録部２９が接続されている。前記画像変換部１５は、輝度及び色差信号をＡＤＣＴ、ハフマン符号化等の処理によりデータ圧縮し、得られた画像データを、このプロジェクタ１０の記録媒体として装着される画像記録部２９に書き込むようになっている。画像記録部２９は、例えばフラッシュメモリ等から構成され、撮影により得たデータが記憶される。
【００３２】
音声処理部３０は、ＰＣＭ音源等の音源回路を備えており、投影動作時に与えられる音声データをアナログ化し、前記スピーカ３１を駆動して拡声放音し、あるいは必要によりビープ音を発生させる。
【００３３】
キースイッチ部３２は、装置の電源のオン／オフ、投影開始スイッチ、モード切替スイッチ等の各種スイッチ等を備え各キー操作信号を制御部２７に出力する。また、リモコン信号受信部３３は、リモコン信号を受信し、この受信したリモコン信号をコード信号化して制御部２７に送出する。
【００３４】
なお、無線制御部３４は、所定周波数の無線信号を送受信し、受信信号をシステムバス１３を介して制御部２７に供給し、また、制御部２７が生成した送信信号を外部に送信する機能を有する。
【００３５】
次に、本実施の形態に係るプロジェクタ１０の動作について、図３に示すフローチャートに従って説明する。電源がオンの状態で投影開始スイッチが操作されると、制御部２７は、記憶部２８に記憶されているプログラムに従って処理を実行する。すなわち、入出力コネクタ部１１に接続されたＰＣ等外部機器から、入出力インタフェース１２を画像の取り込みを開始する（ステップＳ１）。そして、この取り込んだ画像を1フレームずつフレームバッファ１４に格納する（ステップＳ２）。
【００３６】
次に、このフレームバッファ１４に格納された画像をフレーム内においてＮ個の矩形エリアに分割する（ステップＳ３）。これにより、フレームバッファ１４に格納された画像は、１番目からＮ番目までのＮ個の矩形エリアに分割されることとなる。引き続き、カウンタＡに初期値「１」をセットする（ステップＳ４）。そして、カウンタＡの値で示されるＡ番目の矩形エリアの中で、ある２色の割合が８０パーセント以上であるか否かを判断する（ステップＳ５）。
【００３７】
すなわち、このステップＳ５及びこれに続くステップＳ６は、当該矩形エリアの中にクリアタイプが存在するか否かを判断するためのステップである。クリアタイプは通常、背景色に対してある文字を一色で描画した際に、文字色と背景色である２色の境界部分に対して行われる。したがって、通常の文字と背景とからなる画像の場合は、文字と背景とで構成されるが、クリアタイプの場合は、文字と背景のみならず、これら文字と背景との境界部分に、当該文字の色と背景の色とは異なる色の部分が存在することとなる。
【００３８】
そこで、本実施の形態においては、ある２色の割合が８割以上であれば、その２色のうち、一方は文字色で他方は背景色であると判定し、文字と背景とが存在することを確認する。そして、これにより文字の存在を確認することができたならば、それ以外の色が文字色と背景色との境界部分に存在するか否かを判断して、それ以外の色がその境界部分に存在する場合にはクリアタイプであると判定する。
【００３９】
このため、先ずステップＳ５で、前述のようにある２色の割合が８０パーセント以上であるか否かを判断する。この判断がＹＥＳであって、文字と背景であることが判明したならば、さらに、この文字と背景との境界部分に当該文字色と当該背景色との２色以外の色が存在するか否かを判断する（ステップＳ６）。
【００４０】
したがって、ステップＳ５及びステップＳ６での判断により、確実に画像中におけるクリアタイプを検出することができる。
【００４１】
そして、ステップＳ５及びステップＳ６の判断が共にＹＥＳであるならば、クリアタイプである断定して、ステップＳ７の処理を行う。このステップＳ７においては、クリアタイプであると判断した矩形エリアの位置情報、例えば矩形エリアの左上座標と右下座標を制御部２７内の記憶領域に記憶するとともに、前記文字色と背景色の２色を色情報として記憶する（ステップＳ７）。しかる後に、ステップＳ８に進む。
【００４２】
しかし、ステップＳ５及びステップＳ６の判断のいずれか１つでもＮＯであれば、クリアタイプではないと断定し、ステップＳ７の処理を行うことなくステップＳ８に進む。このステップＳ８においては、カウンタＡの値が分割数Ｎに達したか否か、つまり分割した矩形エリア全てについて、クリアタイプであるか否かの判定を終了したか否か判断する。
【００４３】
Ａ≠Ｎであって、クリアタイプであるか否かの判定を行っていない矩形エリアが残っているならば、カウンタＡの値をインクリメントして（ステップＳ９）、ステップＳ５から処理を繰り返す。そして、分割した矩形エリアの全てについて、クリアタイプであるか否かの判定を終了すると、カウンタＡの値が分割数Ｎに達して（Ａ＝Ｎ）、ステップＳ８の判断がＹＥＳとなる。
【００４４】
したがって、ステップＳ８からステップＳ１０に進み、フレームバッファ１４に記憶されている画像にクリアタイプ部分があったか否かを判断する。つまり、ステップＳ７の処理が実行されて、クリアタイプと判定された矩形エリアの左上座標と右下座標、文字色と背景色の２色からなる色情報が記憶されているか否かを判断する。
【００４５】
このステップＳ１０の判断がＹＥＳであって、クリアタイプ部分があるならば、前述のように文字色と背景色である２色の境界部分に、当該２色とは異なる色が存在することから、当該境界部分にあるピクセルの色を補正する（ステップＳ１１）。
【００４６】
ここで、クリアタイプでない通常の画像において、境界部分を補間した場合、２色の境界部分のピクセルの色は、当該２色の色をある比率で混ぜた色となる。したがって、このステップＳ１１の処理に際しても、２色の境界部分にあるピクセルの色が当該２色の色をある比率で混ぜた色となることを第１の条件として、補正する。また、明るさが元の色（クリアタイプにおける境界部分の色）と変わらないことを第２の条件として、補正する。
【００４７】
これら第１及び第２の条件を満たす補正を行うに際しては、下記の変換式を用いることができる。
Y=C1+[{Y(X)-Y(C1)}/{Y(C2)-Y(C1)}]×(C1-C2)
ただし、
C1：文字色、背景色のうちの一方（赤成分、緑成分、青成分からなるベクトル）
Y：変換先の色（赤成分、緑成分、青成分からなるベクトル）
X：変換元の色（赤成分、緑成分、青成分からなるベクトル）
C2：字色、背景色のうちの他方（赤成分、緑成分、青成分からなるベクトル）
Y(C)：色から明るさへの変換（ベクトルからスカラーへの変換）
(C)：＝0.299×［Cの赤成分］＋0.587×［Cの緑成分］＋0.114×［Cの青成分］
【００４８】
そして、この補正を行ったならば投影処理を実行する（ステップＳ１２）。これにより、「クリアタイプ」と称されるＲＧＢ画素が配列されたディスプレイ用補間技術に基づく画像であっても、偽色の発生を伴うことなく投影表示することができる。
【００４９】
すなわち、例えば図４に示したように背景が黒（ＢＫ）で白の文字（白抜きの文字）を投影する場合、クリアタイプ（ｂ）におけるドット（２）は「ＧＢＲ」である。したがって、「クリアタイプ」の文字をそのまま投影すると、前述のように、Ｇ＋Ｂ＝Ｃであるから、クリアタイプ（ｂ）におけるドット（２）の「ＧＢ」は、従来投影（c）におけるドット（２）では「Ｃ」で投影され、クリアタイプ（ｂ）におけるドット（２）の「Ｒ」は、従来投影（c）におけるドット（２）でそのまま「Ｒ」で投影される。また、クリアタイプ（ｂ）におけるドット（３）は「ＢＲＧ」である。したがって、クリアタイプ（ｂ）におけるドット（３）の「Ｂ」は従来投影（c）におけるドット（２）でそのまま「Ｂ」で投影され、Ｒ＋Ｇ＝Ｙであるから、クリアタイプ（ｂ）におけるドット（３）の「ＲＧ」は従来投影（c）におけるドット（３）では「Ｙ」で投影される。これより、投影された画像中の文字に偽色が発生することとなる。
【００５０】
しかし、前記補正を行って投影処理を実行すると、図４の本案投影（ｄ）に示すように、ドット（２）は「明るいグレー」と「暗いグレー」とで投影され、ドット（３）は「暗いグレー」と「明るいグレー」とで投影される。つまり、前述のように、２色の境界部分にあるピクセルの色が当該２色の色をある比率で混ぜた色となることを第１の条件とし、明るさが元の色（クリアタイプにおける境界部分の色）と変わらないことを第２の条件として、この第１及び第２の条件を満たすように補正して投影すると、ＲＧＢ系は暗いグレーに変換されて投影され、Ｂが最も暗いグレーに変換されて投影され、ＹＭＣ系は明るいグレーに変換されて投影される。
【００５１】
したがって、「クリアタイプ」と称されるＲＧＢ画素が配列されたディスプレイ用補間技術に基づく画像であっても、偽色の発生を伴うことなく文字を投影することができ、しかも投影文字の明るさも十分に確保することができる。
【００５２】
また、補正は前述のように演算式を用いて行うことができることから、補正処理が複雑化することもない。
【００５３】
そして、ステップＳ１２に続くステップＳ１３においては、投影の終了指示が検出されたか否かを判断し、終了指示が検出されるまでステップＳ２からの処理を繰り返す。終了指示が検出されたならば、ステップＳ１３からエンドに進みこのフローに従った処理を終了する。
【００５４】
なお、本実施の形態においては、カラーホイールを用いて色順次表示を行うプロジェクタに本発明を適用するようにしたが、カラーホイールを用いることなく発色光の異なるＬＥＤ等の光源を時分割点灯させて色順次表示を行うプロジェクタにも本発明を適用することができる。また、本実施の形態においては、ＲＧＢ画素が配列されたディスプレイ用補間技術に基づく画像部分が含まれている画像として、液晶ディスプレイ用補間技術の例を示したが、ＲＧＢ画素が配列された有機ＥＬディスプレイ等、他のディスプレイ用補間技術であっても良い。
【符号の説明】
【００５５】
１０    プロジェクタ
１１    入出力コネクタ部
１２    入出力インタフェース
１４    フレームバッファ
１５    画像変換部
１６    投影画像処理部
１７    マイクロミラー素子
１８    投影光処理部
１９    光源ランプ
２１    カラーホイール
２２    インテグレータ
２３    ミラー
２７    制御部
【図１】
2010220150.tif 000003
【図２】
2010220150.tif 000004
【図３】
2010220150.tif 000005
【図４】
2010220150.tif 000006